【手続補正書】
【提出日】平成21年1月20日(2009.1.20)
【手続補正１】
【補正対象書類名】特許請求の範囲
【補正対象項目名】全文
【補正方法】変更
【補正の内容】
【特許請求の範囲】
【請求項１】
ネットワークを介して少なくとも１台の画像処理装置を制御装置に接続した画像処理システムにおいて、前記画像処理装置に対するアクセス制御を前記制御装置で管理する管理方法であって、
前記画像処理装置が前記ネットワークに新規に接続された場合に、該画像処理装置から前記制御装置へ前記画像処理装置に対するアクセス制御の管理を依頼する制御依頼ステップと、
前記制御装置において、前記アクセス制御の管理の依頼を行った画像処理装置について、その機能に対するアクセスを制御するためのアクセス制御テーブルを生成して登録するテーブル登録ステップと、を有し、
前記制御装置においては、前記テーブル登録ステップで登録されたアクセス制御テーブルに基づいて、前記画像処理装置の機能毎にアクセス制御を管理することを特徴とする画像処理システムの管理方法。
【請求項２】
前記制御依頼ステップは、
前記画像処理装置におけるユーザ操作に基づいて前記アクセス制御の管理の依頼の指示を入力する指示入力ステップと、
前記指示入力ステップにおいて入力された指示に応じて依頼コマンドを発行するコマンド発行ステップと、
前記画像処理装置の属性情報を取得する属性情報取得ステップと、
前記依頼コマンドを、前記属性情報と共に前記制御装置へ通知するコマンド通知ステップと、
を有することを特徴とする請求項１記載の画像処理システムの管理方法。
【請求項３】
前記属性情報は、前記画像処理装置における機能を示す情報であることを特徴とする請求項２記載の画像処理システムの管理方法。
【請求項４】
前記属性情報は、前記画像処理装置における機器構成を示す情報であることを特徴とする請求項２記載の画像処理システムの管理方法。
【請求項５】
前記テーブル登録ステップによる処理結果を前記画像処理装置へ通知する登録結果通知ステップと、
前記画像処理装置において前記登録結果通知ステップにおいて通知された内容を報知する報知ステップと、
をさらに有することを特徴とする請求項２乃至４のいずれか１項に記載の画像処理システムの管理方法。
【請求項６】
前記コマンド通知ステップによって前記画像処理装置から通知された前記属性情報に基づいて、前記制御装置に予め保持されている、前記アクセス制御テーブルに対する初期値となる情報を記述した複数のテンプレートから１つを選択するテンプレート選択ステップをさらに有し、
前記テーブル登録ステップにおいては、前記テンプレート選択ステップで選択されたテンプレートおよび前記属性情報に基づいて、前記アクセス制御テーブルを生成することを特徴とする請求項２乃至５のいずれか１項に記載の画像処理システムの管理方法。
【請求項７】
前記画像処理装置において該画像処理装置を利用するユーザの認証を行うユーザ認証ステップと、
前記制御装置から前記画像処理装置に対して前記アクセス制御テーブルに基づくアクセス制御情報を通知する制御情報通知ステップと、をさらに有し、
前記画像処理装置において、前記ユーザ認証ステップで認証されたユーザの属性と、前記アクセス制御ステップで通知された前記アクセス制御情報とに基づいて、機能毎のアクセス制御を行うことを特徴とする請求項２乃至６のいずれか１項に記載の画像処理システムの管理方法。
【請求項８】
前記アクセス制御テーブルは、ユーザの属性毎にアクセス権限を設定することを特徴とする請求項７記載の画像処理システムの管理方法。
【請求項９】
前記アクセス制御テーブルは、画像処理装置における前記属性情報に応じた属性毎にアクセス権限を設定することを特徴とする請求項８記載の画像処理システムの管理方法。
【請求項１０】
ネットワークを介して少なくとも１台の画像処理装置を制御装置に接続し、該制御装置が前記画像処理装置に対するアクセス制御を管理する画像処理システムであって、
前記画像処理装置は、
前記ネットワークに新規に接続された場合に前記制御装置へ前記画像処理装置に対するアクセス制御の管理を依頼する制御依頼手段を有し、
前記制御装置は、
前記アクセス制御の管理の依頼を行った画像処理装置について、その機能に対するアクセスを制御するためのアクセス制御テーブルを生成して登録するテーブル登録手段と、
前記テーブル登録手段で登録されたアクセス制御テーブルに基づいて、前記画像処理装置の機能毎にアクセス制御を管理するアクセス管理手段と、
を有することを特徴とする画像処理システム。
【請求項１１】
前記画像処理装置における制御依頼手段は、
ユーザ操作に基づいて前記アクセス制御の管理の依頼の指示を入力する指示入力手段と、
前記指示入力手段で入力された指示に応じて依頼コマンドを発行するコマンド発行手段と、
該画像処理装置の属性情報を取得する属性情報取得手段と、
前記依頼コマンドを、前記属性情報と共に前記制御装置へ通知する通知手段と、を有することを特徴とする請求項１０記載の画像処理システム。
【請求項１２】
前記制御装置はさらに、
前記アクセス制御テーブルに対する初期値となる情報を記述した複数のテンプレートを保持するテンプレート保持手段と、
前記画像処理装置の属性に基づいて前記テンプレートを選択するテンプレート選択手段と、を有し、
前記テーブル登録手段は、前記テンプレート選択手段で選択されたテンプレートおよび前記属性に基づいて、前記アクセス制御テーブルを生成することを特徴とする請求項１０または１１記載の画像処理システム。
【請求項１３】
前記制御装置における前記アクセス管理手段は、前記画像処理装置に対して前記アクセス制御テーブルに基づくアクセス制御情報を通知し、
前記画像処理装置はさらに、
該画像処理装置を利用するユーザの認証を行うユーザ認証手段と、
前記ユーザ認証手段で認証されたユーザの属性と、前記アクセス制御手段によって通知された前記アクセス制御情報とに基づいて、機能毎のアクセス制御を行うことを特徴とする請求項１０乃至１２のいずれか１項に記載の画像処理システム。
【請求項１４】
ネットワークを介して接続された制御装置によってアクセス制御が管理される画像処理装置であって、
前記ネットワークに新規に接続される際に、前記画像処理装置に対するアクセス制御の管理を依頼する依頼コマンドを発行するコマンド発行手段と、
該画像処理装置の属性情報を取得する属性情報取得手段と、
前記依頼コマンドを、前記属性情報と共に前記制御装置へ通知する通知手段と、
前記制御装置から前記依頼コマンドに対するレスポンスを受信してその内容を報知する報知手段と、
を有することを特徴とする画像処理装置。
【請求項１５】
ネットワークを介して少なくとも１台の画像処理装置と接続され、アクセス制御テーブルに基づいて前記画像処理装置に対するアクセス制御を管理する制御装置であって、
前記アクセス制御テーブルに対する初期値となる情報を記述した複数のテンプレートを保持するテンプレート保持手段と、
新規に接続された画像処理装置の属性に基づいて前記テンプレートを選択するテンプレート選択手段と、
新規画像処理装置の属性および前記テンプレート選択手段で選択されたテンプレートに基づいて前記アクセス制御テーブルを生成して登録するテーブル登録手段と、を有し、
前記テーブル登録手段で登録されたアクセス制御テーブルに基づいて、前記画像処理装置の機能毎にアクセス制御を管理することを特徴とする制御装置。
【請求項１６】
コンピュータを、請求項１４記載の画像処理装置の各手段として機能させるためのプログラム。
【請求項１７】
コンピュータを、請求項１５記載の制御装置の各手段として機能させるためのプログラム。
【請求項１８】
請求項１６または１７記載のプログラムが記録されたことを特徴とする記録媒体。
【手続補正２】
【補正対象書類名】明細書
【補正対象項目名】００１５
【補正方法】変更
【補正の内容】
【００１５】
すなわち、ネットワークを介して少なくとも１台の画像処理装置を制御装置に接続した画像処理システムにおいて、前記画像処理装置に対するアクセス制御を前記制御装置で管理する管理方法であって、前記画像処理装置が前記ネットワークに新規に接続された場合に、該画像処理装置から前記制御装置へ前記画像処理装置に対するアクセス制御の管理を依頼する制御依頼ステップと、前記制御装置において、前記アクセス制御の管理の依頼を行った画像処理装置について、その機能に対するアクセスを制御するためのアクセス制御テーブルを生成して登録するテーブル登録ステップと、を有し、前記制御装置においては、前記テーブル登録ステップで登録されたアクセス制御テーブルに基づいて、前記画像処理装置の機能毎にアクセス制御を管理することを特徴とする。
【手続補正３】
【補正対象書類名】明細書
【補正対象項目名】００１６
【補正方法】変更
【補正の内容】
【００１６】
さらに、前記制御依頼ステップは、前記画像処理装置におけるユーザ操作に基づいて前記アクセス制御の管理の依頼の指示を入力する指示入力ステップと、前記指示入力ステップにおいて入力された指示に応じて依頼コマンドを発行するコマンド発行ステップと、前記画像処理装置の属性情報を取得する属性情報取得ステップと、前記依頼コマンドを、前記属性情報と共に前記制御装置へ通知するコマンド通知ステップと、を有することを特徴とする。
【手続補正４】
【補正対象書類名】明細書
【補正対象項目名】発明の名称
【補正方法】変更
【補正の内容】
【発明の名称】画像処理システム、その管理方法、画像処理装置、および制御装置